(57)【要約】      （修正有）【課題】保管用の容器としての利用は勿論、商品用の包装箱に使用し後の再利用を喚起させる形態を有し、多様な使用目的に適する新規な構成のブック型容器を提供する。【解決手段】ブック型容器１は、表紙２、窓孔付中蓋３及び収容ケースで構成される。表紙２は表・裏の表紙部２１と中間の背表紙部２２が曲折自在に連係されている。窓孔付中蓋３は表・裏の表紙部２１より一回り短尺の矩形枠であって、窓孔付中蓋３の一外周面が背表紙部２２内面に着脱可能となっている。窓孔付中蓋３に前記収容ケースが嵌合される。【選択図】図２
0003214473.tif 000002
【実用新案登録請求の範囲】
【請求項１】
表紙、窓孔付中蓋及び収容ケースで構成したブック型容器において、前記表紙は表・裏の表紙部と中間の背表紙部が曲折自在に連係されていること、前記窓孔付中蓋は表・裏の表紙部より一回り短尺の矩形枠であって、前記窓孔付中蓋の一外周面が前記背表紙部内面に着脱可能となっていること、前記窓孔付中蓋に前記収容ケースが嵌合されていることを特徴とするブック型容器。
【請求項２】
前記窓孔付中蓋の一外周面が前記背表紙部内面に上下方向を選択自在に着脱可能となっていることを特徴とする請求項１に記載のブック型容器。
【請求項３】
前記収容ケースには、底部外面の中央部上下に前記背表紙部内面巾の突出部が形成されており、この突出部の外面が前記背表紙部内面に着脱可能となっていることを特徴とする請求項１又は２に記載のブック型容器。
【請求項４】
前記表紙にカバーが被設されていることを特徴とする請求項１乃至３のいずれかに記載のブック型容器。
【請求項５】
前記表紙、前記窓孔付中蓋及び前記収容ケースが木製又は革製であることを特徴とする請求項１乃至４のいずれかに記載のブック型容器。
【考案の詳細な説明】
【技術分野】
【０００１】
本考案は包装用や貴重品や身の回り品等の保管用としても使用可能な容器に関するものであり、その形態よりブック型の容器に関するものである。
【背景技術】
【０００２】
ブック型の容器は、背表紙とコ字型の３側面、背表紙と裏表紙を一体に固定して収容部を形成し、表表紙が開閉自在に背表紙と連結された基本的な構成を有することで知られている。
【０００３】
特定の目的を有するブック型の容器として、例えば特開２０１４−１３６３２８号公報は、肖像と結びつけられた相応しい装飾が内外面に施され、特に表表紙部の開いた状態でも肖像とともにその装飾が視認可能としたもので、表表紙部と、背表紙部と、裏表紙部を備え、裏表紙部に背表紙部の厚さ寸法を略高さ寸法とする枠状の収納部を付設し、枠状の内壁部には肖像用額縁を裏表紙部と略平行面に係止させて収納するための段差部が設けられ、係止された肖像用額縁と収納部と裏表紙部とにより形成される収納空間に肖像用額縁の肖像により特定される個人に係わる被収納体を収納可能とした構成が開示されている。
【０００４】
また、特開２０１７−１４０１６９号公報では、使い切ることができる化粧品を提供する目的で、シート状基材と、前記シート状基材の一方の面上に配置された化粧料と、前記化粧料を覆うフィルム状カバー部材とを含むメーキャップシートを複数備えて、前記メーキャップシートは積層状態に配置されており、積層状態にある前記メーキャップシートの前面側と後面側とのそれぞれに対応する前表紙と後表紙とを含むブックカバー部を更に有し、前記メーキャップシートは綴じ代部分を有し、支持手段によって前記綴じ代部分が前記ブックカバー部の所定位置にて支持されているブック型のシート状化粧品が開示されている。
【先行技術文献】
【特許文献】
【０００５】
【特許文献１】特開２０１４−１３６３２８号公報
【特許文献２】特開２０１７−１４０１６９号公報
【考案の概要】
【考案が解決しようとする課題】
【０００６】
本考案は、保管用の容器としての利用は勿論、商品用の包装箱に使用した後の再利用を喚起させる形態を有し、多様な使用目的に適する新規な構成のブック型容器を提供せんとするものである。
【課題を解決するための手段】
【０００７】
本考案のブック型容器は、表紙、窓孔付中蓋及び収容ケースで構成したブック型容器において、前記表紙は表・裏の表紙部と中間の背表紙部が曲折自在に連係されていること、前記窓孔付中蓋は表・裏の表紙部より一回り短尺の矩形枠であって、前記窓孔付中蓋の一外周面が前記背表紙部内面に着脱可能となっていること、前記窓孔付中蓋に前記収容ケースが嵌合されていることを特徴とするものである。
【０００８】
請求項２のブック型容器の考案は、請求項１に記載の考案において、前記窓孔付中蓋の一外周面が前記背表紙部内面に上下方向を選択自在に着脱可能となっていることを特徴とするものである。
【０００９】
請求項３のブック型容器の考案は、請求項１又は２に記載の考案において、前記収容ケースには、底部外面の中央部上下に前記背表紙部内面巾の突出部が形成されており、この突出部の外面が前記背表紙部内面に着脱可能となっていることを特徴とするものである。
【００１０】
請求項４のブック型容器の考案は、請求項１乃至３のいずれかに記載の考案において、前記表紙にカバーが被設されていることを特徴とするものである。
【００１１】
請求項５のブック型容器の考案は、請求項１乃至４のいずれかに記載の考案において、前記表紙、前記窓孔付中蓋及び前記収容ケースが木製又は革製であることを特徴とするものである。
【考案の効果】
【００１２】
本考案によれば、ブック型の容器としての本来の使用方法に加えて、窓孔付中蓋は表紙と着脱可能であるから、表紙から外し窓孔付中蓋と収容ケースとで通常の容器としての使用もできるため、再使用の複数の態様が可能となる効果を有する。
また、収容ケースの窓孔付中蓋への嵌合を、裏返して写真や絵画等の紙面を挟んで額縁のように再使用をすることもでき、表紙に装着しての使用も可能となる効果を有する。
【００１３】
請求項２の考案は請求項１の効果に加えて、窓孔付中蓋の一外周面が背表紙部内面に上下方向を選択自在に着脱可能となっているため、上下位置が決まった表紙に対する窓孔付中蓋の上下位置を選択することで、表紙の左・右開きに対応して装着できる効果を有する。
【００１４】
請求項３の考案は請求項１又は２の効果に加えて、表・裏の表紙部を開いて自立させる場合、窓孔付中蓋の一外周面と背表紙部内の装着を外して、収容ケースの突出部の外面を背表紙部内面に装着すれば、背表紙部とが表・裏の表紙部との角度が形成され安定した自立を確保できると共に、収容ケースが自立した表紙の中央部に配置されて内部が良好な状態で看取できる効果を有するものである。
【００１５】
表紙にカバーが被設されていること、或いは、表紙、前記窓孔付中蓋及び前記収容ケースを木製又は革製とすることで、収容する商品の品質の特徴や高級性に相応しい容器となり、さらに商品の包装容器に囚われずに再利用を促す効果を有するものである。
【図面の簡単な説明】
【００１６】
【図１】本考案の一実施の形態を示す一方の表紙部を開いた斜視図である。
【図２】本考案の一実施の形態を示す表・裏の表紙部を開いた斜視図である。
【図３】本考案の一実施の形態を示す窓孔付中蓋及び収容ケースを分離して状体の斜視図である。
【図４】背表紙と窓孔付中蓋との着脱構造の一実施の形態を示す断面図である。
【図５】本考案の他の実施の形態を示す断面図である。
【考案を実施するための形態】
【００１７】
本考案の実施の形態を図面に基づいて説明する。
図１乃至図４は本考案の一実施の形態を示すものであり、本考案のブック型容器１は、表紙２、窓孔付中蓋３及び収容ケース４で構成されている。
各部を構成する材は紙、樹脂、木、革等から任意に選択して成形できる。
【００１８】
前記表紙２は表・裏の表紙部２１，２１と中間の背表紙部２２が曲折自在に連係されている。
表・裏の表紙部２１，２１と背表紙部２２の折曲が円滑で回数に耐え得るように素材の選択に応じた加工が必要であり、折曲部分には開閉をよくするために溝状の筋を形成すること、分割形成して折曲可能な帯体で連結すること、或いは木製の場合は体裁の良いヒンジで折曲可能とする等の方法が考えられる。
【００１９】
前記窓孔付中蓋３は表・裏の表紙部２１より一回り短尺の矩形枠であって、表紙がはみ出したチリ２３を設けた高級感のある本態様を装っている。
実施態様の図面においての窓孔３１は矩形枠と相似形に切除され周囲に縁３２が形成され、前記収容ケース４が嵌合される。
【００２０】
したがって、収容ケース４内に収容された商品等は窓孔３１を通して看取できるものである。
また、窓孔付中蓋３への収容ケース４の嵌合を裏返して写真や絵画等の紙面を挟んで額縁のように使用することもできる作用を奏する。
【００２１】
前記窓孔付中蓋３は、一外周面３３が前記背表紙部２２の内面に着脱可能に装着され、互いの当接面に磁石５，５を対向して上下（天地）２箇所に埋設して着脱手段としてある。
実施態様の図面では、２箇所の磁石５，５の埋設位置を上下の中央から同寸法に配置され、前記窓孔付中蓋３が上下を選択自在に前記背表紙部２２の内面に装着できるため、表紙２の左・右開きに応じて収容ケース４を背表紙部２２に装着できる作用を奏する。
【００２２】
また、ブック型の容器としての本来の使用方法に加えて、窓孔付中蓋３は表紙２と着脱可能であるから、外せば収容ケース４とで通常の容器を構成できるため単独での使用もでき、再使用時には複数の態様が可能となる作用を奏する。
【００２３】
また、図５は他の実施の形態を示す断面図である。
収容ケース４には、底部外面の中央部上下に背表紙部２２の内面巾の突出部４１が形成されており、この突出部４１の外面４２が前記背表紙部２２の内面に着脱可能となっている。
【００２４】
この実施の態様では、収容ケース４の突出部４１の外面４２を背表紙部２２の内面に装着して開いた状態において、背表紙部２２と表・裏の表紙部２１，２１とに角度が形成されるため安定した自立を確保できると共に、収容ケース４が自立した表紙２の中央部に配置されて内部が良好な状態で看取できる作用を奏し、装飾品や美術品、或いは簡易な仏壇等を収容した保管と鑑賞等の容器としても利用できるものとなる。
【００２５】
以上説明した本考案の技術的範囲は、上記の実施の形態例に限定されるものではなく、背表紙２２と窓孔付中蓋３との着脱に、ほぞとアリ溝による構造としてもよく、表紙２に装飾や模様を施すことも自由であり、更に表紙カバーを添えることも商品価値を高めるものとなる。
【００２６】
また、本明細書及び図面に記載した事項から明らかになる考案の思想を逸脱することない範囲の他の実施の形態にも適用可能であり、本考案が意図する技術的思想の範囲全体に広く及ぶものである。
【符号の説明】
【００２７】
１    ブック型容器
２    表紙
３    窓孔付中蓋
４    収容ケース
５    磁石
２１  表・裏の表紙部
２２  背表紙部
２３  チリ
３１  窓孔
３２  縁
３３  一外周面
４１  突出部
４２  外面
【図１】
0003214473.tif 000003
【図２】
0003214473.tif 000004
【図３】
0003214473.tif 000005
【図４】
0003214473.tif 000006
【図５】
0003214473.tif 000007